(57)【要約】      （修正有）【課題】凍結路面の滑りを防ぎ、錆や環境影響が少なく散布効率の高い防氷剤を提供する。【解決手段】一酸化炭素と硫黄、塩素を含まない水酸化物を合成した、蟻酸を含まない蟻酸塩を凸状に造粒した防氷剤を散布する。一般的蟻酸塩に対し、前記蟻酸塩は金属腐食が弱く、また、形状を凸状としたことで、散布後の転がりが少なく散布効率が改善できる。【選択図】図１
0003178005.tif 000002
【実用新案登録請求の範囲】
【請求項１】
道路の雪氷を融解または、凍結を防止するための蟻酸と硫黄と塩素を含まない蟻酸塩を凸状に造粒したことを特徴とする防氷剤。
【請求項２】
前記蟻酸塩とゼオライト砕石を混合した請求項１に記載の防氷剤。
【考案の詳細な説明】
【技術分野】
【０００１】  本考案は、凍結路面の滑りを防ぎ、錆や環境影響が少なく散布効率の高い蟻酸塩防氷剤の形状に関するものである。
【背景技術】
【０００２】  路面が凍結すると、路面の摩擦係数が小さくなり、自動車の走行や人の歩行が困難になるため、顆粒状無機塩（主として塩化ナトリウムや塩化カルシウム）の防氷剤（凍結防止剤／融雪剤／薬剤等と言われ凍結温度を下げて氷を融解するか、氷になることを防ぐ材料）や経済的な面から稜角に富んだ砂や砕石などの滑止材を散布している。【０００３】  防氷剤は、雪氷の融解温度を下げて、雪氷を融解し路面を露出するか、雪氷の固結を防止して路面の摩擦係数を大きくする。【０００４】  顆粒状の防氷剤を雪氷面に機械散布すると、防氷剤機能を発揮するまでに、散布時の慣性、風、交通流等により路側に寄せられ、走行路面に滞留する量が少なくなるので、散布量を多くしている。【０００５】  蟻酸や塩素、硫黄含んだ防氷剤を散布すると鋼構造物や交通車両に金属腐食が発生したり、水中生物、農作物に影響を与える。特に蟻酸と水酸化物で合成した蟻酸塩は、未反応の蟻酸が残留するので金属腐食が激しい。【０００６】  無機塩化物を散布すると拡散融氷するので早期に効力が無くなり、雪氷が厚くなると融氷部分表面に滑りやすい面が生成される。
【考案の概要】
【考案が解決しようとする課題】
【０００７】  顆粒状の防氷剤を雪氷面に機械散布すると、散布時の慣性、風、交通流等により路側に寄せられるので、散布量が多くなる。【０００８】  無機塩には、多量の塩素を含んでおり、一般的な蟻酸塩は、未反応の蟻酸が残留しているので、金属腐食が激しい。また、無機塩は、拡散融氷するので融氷面に多量の電解液が発生し、滑りやすい路面が生成される。。
【課題を解決するための手段】
【０００９】  以上の問題を解決するために、第一考案は、一酸化炭素と硫黄、塩素を含まない水酸化物を合成した、蟻酸を含まない蟻酸塩を凸状に造粒した防氷剤を散布することにより前述の問題点を解決している。【００１０】  第二考案は、第一考案の蟻酸塩と粒径２〜０．２ｍｍのゼオライト砕石を混合した安価な凸状蟻酸塩を散布することにより環境に優しく、安価に問題点を解決している。
ゼオライトは、水分調整や保肥効果があるために土壌改良材として認められ一般に販売されていることから土壌改良材として利用される。【００１１】  顆粒状の防氷剤は、球形なので転がりやすく、散布時の慣性や風により、簡単に路側に寄せられる。凸状にすることにより、散布機から飛ばされ、着地すると路面に留まり、風や交通流があっても半円球の不定型なことから、簡単には転がらないので防氷剤の路面滞留率が高くなり、散布量を少なくすることができる。【００１２】  一酸化炭素と硫黄、塩素を含まない水酸化物で合成した蟻酸塩は、蟻酸塩の中に蟻酸が残留することなく、硫黄、塩素などを含まない純度の高い蟻酸塩なので、鋼構造物の腐食がきわめて少ない。【００１３】  蟻酸塩を雪氷面に散布すると、防氷剤は拡散融氷すること無く舗装面まで沈降し、舗装面の雪氷を融解し、雪氷盤は舗装面から剥離される。剥離された雪氷盤は、交通荷重により破砕され電解液の少ないシャベットを生成する。このようなシャベットは新雪に似ており、車両走行に必要な滑り抵抗を持っている。【００１４】  蟻酸塩を雪氷面に散布すると、防氷剤は雪氷盤を融解しながら沈降し、雪氷面に多くの沈降穴が生成され、第二考案の蟻酸塩は、ゼオライトが残留するので、滑り抵抗が更に大きくなり安全な歩行を確保できる。
【考案の効果】
【００１５】  一酸化炭素と硫黄、塩素を含まない水酸化物の蟻酸塩を本考案の凸状にすると、散布時や散布後に路側に寄せられることが少なく効率的な散布ができるので、散布量を少なくすることができる。【００１６】  本考案に使用する蟻酸塩は、蟻酸を含まないことから金属腐食が少なく、雪氷盤は舗装面から剥離され、電解液の少ないシャベット状になり、滑り抵抗が生成される。【００１７】  蟻酸塩は高価であり、ゼオライトは安価で安全な滑止材なので、これらを混合造粒することにより、環境に優しく、安価な防氷剤となり、経済的に交通の安全を確保できる。
【図面の簡単な説明】
【００１８】
【図１】本考案の一辺５〜７ｍｍの凸状蟻酸塩防氷剤の断面形状である。
【図２】図−１の平面図である。
【図３】本考案１の製造方法である。
【図４】本考案２の製造方法である。
【考案を実施するための形態】
【００１９】  本考案の凸状蟻酸塩は、一酸化炭素と硫黄、塩素を含まない水酸化物の合成で、水酸化物として、マグネシウム、カルシウム、カリウム、ナトリウム等であるが、理論的に融氷量が大きく、取扱性、持続性を考慮するとモル重量が軽く、同じ重量では融氷量が大きい蟻酸ナトリウムが効果的である。
【００２０】  防氷剤は、潮解性と吸湿性の高い材料で、材料の表面に空気中の水分が付着して、電解液を生成して雪氷を融解するので一定の時間を必要とするが、無機塩は、多量の電解液が短時間で生成されるので水平方向に融解が進み、融氷面に滑り易い面が形成される。蟻酸ナトリウムは、水溶液の状態になること無く、雪氷内を舗装面まで貫入し、舗装面から雪氷を剥離する。
【００２１】  本考案の効果を確認するため、本考案の蟻酸ナトリウム防氷剤を使用して平成２１年２月２〜３日に滑り抵抗試験を行った。塩化ナトリウムと同量を散布したときの滑り抵抗の向上は１．３６であった。
【００２２】  平成２２年４月９日地方独立行政法人北海道立総合研究機構（工試成績第２２−００３号）に依頼して腐食試験を行った。試験結果は、金属腐食量は塩化ナトリウムを１００に対して本考案の蟻酸ナトリウム防氷剤は０．９であった。
【００２３】  防錆剤添加塩化ナトリウム、防錆剤添加塩化カルシウム、本考案の凸状蟻酸ナトリウム防氷剤を使用して持続性試験を行った。塩化ナトリウムは水分が無くなると再結晶し、持続性はあったが、防錆効果は初回のみであった、塩化カルシウムは溶液になると分解し、持続性はなかった。本考案の凸状蟻酸ナトリウムは、塩化ナトリウムと同様の持続性があり、防錆効果も持続した。
【実施例】
【００２５】  以下、本考案１を添付図面３に従って実施例を説明する。一酸化炭素４と硫黄、塩素を含まない水酸化ナトリウム５とを高温高圧の合成槽６に投入し、蟻酸ナトリウム７を生成し、圧縮成形機８に供給し、凸状蟻酸ナトリウム防氷剤２にする。凸状蟻酸ナトリウム防氷剤２は、図１および図２の形状になっている。【００２６】  本考案２を添付図面−４に従って実施例を説明する。蟻酸ナトリウム７を重量比２０〜８０と粒径２〜０．２ｍｍのゼオライト砕石９を重量比８０〜２０を攪拌機１０に投入し、撹拌混合したゼオライト混合蟻酸ナトリウム１１を圧縮成形機８に供給し、凸状ゼオライト混合蟻酸ナトリウム防氷剤３にする。凸状ゼオライト混合蟻酸ナトリウム防氷剤３は、図１および図２の形状になっている。
【符号の説明】
【００２７】  １  凸状蟻酸ナトリウム防氷剤の断面図
１ａ  凸部の円形部の形状  高さ３〜５ｍｍ  直径５ｍｍ
１ｂ  凸部の矩形部の形状  高さ１〜２ｍｍ  矩形部一辺５〜７ｍｍ
２  凸状蟻酸ナトリウム防氷剤
３  凸状ゼオライト混合蟻酸ナトリウム防氷剤
４  一酸化炭素    合成攪拌槽
５  水酸化ナトリウム
６  高温高圧合成槽
７  粉末蟻酸ナトリウム
８  圧縮成形機
９  ゼオライト砕石  ２〜０．２ｍｍ
１０  攪拌機
１１  粉末ゼオライト混合蟻酸ナトリウム
【図１】
0003178005.tif 000003
【図２】
0003178005.tif 000004
【図３】
0003178005.tif 000005
【図４】
0003178005.tif 000006